(57)【特許請求の範囲】
【請求項１】
後板と左右の側板と、後板及び側板よりも上下長さが短い前板とを枠組みすると共に、前板と後板と左右の側板の各内面上部に設けた溝に中枠板の外周端縁部を接着剤を介して嵌め込み固着して上下が開口し且つ前板下方が前開口となった引出し用箱体を構成し、中枠板を外周部のみを残して中央部に開口部を設け、引出し用箱体の前開口から引き出し用箱体内にキャスター付きの引出しを出し入れ自在に収納し、引出し用箱体の上に上面部を畳とした蓋体を着脱自在に取付け、中枠板の外周部のみを残して中央部に形成した開口部が引出し用箱体の上開口と上下に対向し、蓋体を外した状態で、上記上開口と開口部が上下に連通していることを特徴とする床置き畳台。
【発明の詳細な説明】
【技術分野】
【０００１】
本発明は、床置き畳台、詳しくは上面部に蓋体を着脱自在に取付け、前開口から引出しを出し入れ自在とした床置き畳台に関するものである。
【背景技術】
【０００２】
従来から内部が収納用の空所となった床置き畳台が特許文献１により知られている。
【０００３】
この特許文献１に示された床置き畳台は箱体上に上面部に畳部を有する蓋体を載設して構成してある。箱体としてはハッチ用箱体と、引出し用箱体との２種類がある。
【０００４】
ハッチ用箱体は上面が上開口となった箱体で、ハッチ用箱体の上開口を開閉自在とする蓋体を開けて内部に収納物を出し入れするようになっており、また、蓋体を閉じることで、上面部に畳部を有する蓋体上に人が座ったり、寝転んだりすることができるようになっている。
【０００５】
引出し用箱体上には上面部が畳部となった蓋体を載設してあって、上面部が畳部となった蓋体上に人が座ったり、寝転んだりすることができるようになっていると共に、前面に前開口が設けてあって、この前開口から引出しを出し入れできるようになっている。
【０００６】
上記引出し用箱体は、後板と左右の側板と、後板及び側板よりも上下長さが短い前板とを枠組みし、上下長さの短い前板の下方がキャスター付きの引出しを出し入れするための前開口となっている。しかしながら、この従来例にあっては、キャスター付きの引出しを出し入れするために底板がなく、また、蓋体は引出し用箱体の上に着脱自在に載置してあるだけのため、前板、後板、左右の側板の枠組みだけでは平面視で矩形状に保形できずに平行四辺形状に変形するおそれがある。
【０００７】
そこで、本発明者は本発明に至る過程で、前板、後板、左右の側板の各内面上部の引出しの出し入れに邪魔にならない位置に溝を設け、この前板、後板、左右の側板の各内面上部に設けた溝に中板の外周端縁部を接着剤を介して嵌め込み固着することで、前板、後板、左右の側板の枠組みを行い、これより引出し用箱体を中板により平面視で矩形に保形できて平行四辺形状に変形するのを防止することを考えた。
【０００８】
しかしながら、蓋体を取外した場合、引出し用箱体の上開口を閉じるように中板が設けてあるため、誤って人がこの中板に座ったり、載ったりする可能性がある。しかしながら、中板はコストの面でそれほど厚い板材は使用できず、人が乗ったり座ったりすると中板外周端縁部が溝から外れてしまうおそれがあることが判明した。中板はいったん外れると、引出し用箱体を分解しない限り素人では元通り溝に嵌め込むことはできない。
【０００９】
なお、引出し用箱体において上面が畳部となった蓋体を着脱自在としているのは、蓋体の上面部の畳部が損傷した場合に交換するためや、あるいは、引出し用箱体とハッチ用箱体とを、引出し用箱体が手前に位置すると共にハッチ用箱体が後側に位置するように並設した場合、前後に隣接する蓋体のうち、手前に位置する引出し用箱体の蓋体を前に移動したり、取外したりして後側に位置するハッチ用箱体の蓋体の前端面を露出させ、その後、ハッチ用箱体の蓋体の前端面に指を掛けて該蓋体を開くことができるようにするためである。
【特許文献１】特開２００４−３２４１１１号公報
【発明の開示】
【発明が解決しようとする課題】
【００１０】
本発明は上記の従来の問題点に鑑みて発明したものであって、簡単な構成で引出し用箱体を平面視で矩形に保形できると共に、蓋体を開けた場合に矩形に保形するための中枠板に誤って人が乗ったり座ったりすることができないようにして中枠板の外周端縁部が溝からはずれないようにできる床置き畳台を提供することを課題とするものである。
【課題を解決するための手段】
【００１１】
上記課題を解決するために本発明に係る床置き畳台は、後板５ｂと左右の側板５ｃ、５ｄと、後板５ｂ及び側板５ｃ、５ｄよりも上下長さが短い前板５ａとを枠組みすると共に、前板５ａと後板５ｂと左右の側板５ｃ、５ｄの各内面上部に設けた溝１４に中枠板１０の外周端縁部を接着剤を介して嵌め込み固着して上下が開口し且つ前板５ａ下方が前開口１となった引出し用箱体３ａを構成し、中枠板１０を外周部のみを残して中央部に開口部１５を設け、引出し用箱体３ａの前開口１から引き出し用箱体３ａ内にキャスター４ａ付きの引出し４を出し入れ自在に収納し、引出し用箱体３ａの上に上面部を畳とした蓋体２を着脱自在に取付け、中枠板１０の外周部のみを残して中央部に形成した開口部１５が引出し用箱体３ａの上開口１６と上下に対向し、蓋体２を外した状態で、上記上開口１６と開口部１５が上下に連通していることを特徴とするものである。
【００１２】
このような構成とすることで、キャスター付きの引出し４をスムーズに出し入れすることができるように底板を設けない構造であるにもかかわらず中枠板１０で前板５ａと後板５ｂと左右の側板５ｃ、５ｄとを枠組みして構成した引出し用箱体３ａを平面視で矩形状に保形できて平行四辺形状に変形するのが防止でき、床置き畳台としての構造的な強度を確保して蓋体２上に人が座ったり、寝転んだりしても問題がない。しかも、蓋板２を取外すと引出し用箱体３ａの上開口１６のすぐ下位置に中枠板１０が露出するが、中枠板１０を外周部のみを残して中央部に開口部１５を設け、開口部１５が引出し用箱体３ａの上開口１６と上下に対向し、蓋体２を外した状態で、上記上開口１６と開口部１５が上下に連通しているので、人が誤って中枠体１０に乗ったり、座ったりできず、また、中枠板１０の外周部に人が手を当てて下方に押したとしても、押された部分の中枠板１０の内端部側が下方にやや撓むことで手が滑って開口部１５内に落ち込み、したがって、中枠板１０に人が乗ったり、手を掛けても中枠板１０の外周端部が溝１４から外れない。
【発明の効果】
【００１３】
本発明は、中枠板により引出し用箱体の平面視における矩形形状を保持できると共に、蓋体を取外した状態で中枠板が露出しても、誤って人が中枠板に乗ったり座ったりすることができず、中枠板の外周端縁部が溝から外れ落ちることがない。
【発明を実施するための最良の形態】
【００１４】
以下、本発明を添付図面に示す実施形態に基いて説明する。畳台を構成するための箱体３としては、引出し用箱体３ａと、ハッチ用箱体３ｂとの２種類がある。
【００１５】
引出し用箱体３ａは図１乃至図４に示すように、前板５ａ、後板５ｂ、左右の側板５ｃ、５ｄと、中枠板１０とを組み立てることで構成してある。
【００１６】
後板５ｂ、左右の側板５ｃ、５ｄの上下長さは同じで、前の前板５ａの上下長さは後板５ｂ、左右の側板５ｃ、５ｄの上下長さより短くなっている。
【００１７】
引出し用箱体３ａの組み立てに当たっては、まず、図３（ａ）に示すように、後板５ｂを前面（内面）が上を向くようにして横にして設置する。この後板５ｂの前面の左右両端部にはダボ穴１２が設けてある。次に左右の側板５ｃ、５ｄを前端が上となるようにして起立させて後端面に突設したダボ１３を接着剤を塗布した状態で、後板５ｂの両端部に設けたダボ穴１２にそれぞれ嵌め込む。次に、図３（ｂ）のように、左右の側板５ｃ、５ｄの内面、後板５ｂの側面の前面の上端よりもやや下位置に設けた溝１４に接着剤を塗布した状態で中枠板１０の後、左右の３辺の端縁部を嵌め込み、更に、左右の側板５ｃ、５ｄの前端面の上部に設けたダボ１３に上下長さの短い前板５ａの後面の両端部に設けたダボ穴１２を接着剤を塗布した状態で嵌め込むと共に中枠板１０の前端縁部を前板５ａの後面に設けた溝１４に接着剤を塗布した状態で嵌め込んで、後板５ｂの前面の左右両端部に左右の側板５ｃ、５ｄの後端面を突き合わせると共に、左右の側板５ｃ、５ｄの前端面に前板５ａの後面の左右両端部を突き合わせた状態で箱形状に仮組みし、この仮組み状態で、後板５ｂの後面の両端部からねじ具６を挿入して左右の側板５ｃ、５ｄの後端部にねじ込んで固着すると共に、前板５ａの前面の両端部からねじ具６を挿入して左右の側板５ｃ、５ｄの前端部にねじ込んで固着することで、図３（ｃ）に示すように上部に中枠板１０を取付け且つ前面に前開口１を有する引出し用箱体３ａを組み立てる。
【００１８】
中枠板１０は外周部を除いて開口しており、この中枠板１０の開口部１５は引出し用箱体３ａの上開口１６よりも少し小さい開口となっていて上下に対向している。
【００１９】
このように前板５ａ、後板５ｂ、左右の側板５ｃ、５ｄを枠組みして引出し用箱体３ａを形成する際、前板５ａ、後板５ｂ、左右の側板５ｃ、５ｄの内面の上端よりもやや下方位置に形成した溝１４に中枠板１０の外周端縁部を接着剤を介して嵌め込み固着することで、キャスター４ａ付きの引出し４を出し入れするために底板を設けないにもかかわらず、中枠板１０により平面視で引出し用箱体３ａを矩形状に保形し、外力が作用しても平行四辺形に変形しないようになっている。
【００２０】
引出し用箱体３ａの内部の後板５ｂと左右の側板５ｃ、５ｄとのなすコーナ部分に引出しストッパ７を配置して該引出しストッパ７をねじ８により左右の側板５ｃ、５ｄに固着している。ねじ８は左右の側板５ｃ、５ｄに対して直交する方向に打入してある。
【００２１】
組み立てた引出し用箱体３ａの出隅部には図４に示すように縦溝１７が設けてある。添付図面に示す実施形態においては、前板５ａ、後板５ｂの外面側の端部付近に上下方向にわたって縦溝１７を設け、更に、該前板５ａ、後板５ｂの内面の端部と端面とのなす角部にＬ状段落部を上下方向にわたって設け、このＬ状段落部と隣接する左右の側板５ｃ、５ｄの端面とにより縦溝１７を形成してある。
【００２２】
引出し用箱体３ａの出隅部分を覆うコーナカバー部材１８は合成樹脂により形成してあり、弾性を有するものであり、図１３に示すように断面略Ｌ字状をした両側片１９の内面側の先端部にそれぞれ係合突部２０が設けてあり、このコーナカバー部材１８は取付け前の状態では両側片１９の先端部同士のなす角度は９０°未満である。そして、コーナカバー部材１８を弾性的に９０°の開き角度となるように広げた状態で両係合突部２０を上記両縦溝１７に上方から差し込むことで引出し用箱体３ａの出隅部分にコーナカバー部材１８を外方に突出するように取付けると共にコーナカバー部材１８により前板５ａの側端面、後板５ｂの側端面及びねじ具６を覆って外観が良くなるようにしている。これにより従来のように化粧側板を別途必要としない。
【００２３】
組み立てた引出し用箱体３ａの上開口１６を開閉自在とする蓋体２は図１（ｂ）に示すようなもので、裏面の四隅よりもやや内側にずれた位置にずれ防止脚部２１が下方に向けて突設してあり、組み立てた引出し用箱体３ａの上開口１に蓋体２を被せて蓋体２の裏面の周囲を引出し用箱体３ａの上面に載置した状態で裏面の四隅よりもやや内側にずれた位置に設けたずれ防止脚部２１が中枠板１０の上面の四隅部分に載置されて蓋体２の横ずれを防止するようになっている。このように蓋体２の裏面の四隅よりもやや内側にずれた位置に設けたずれ防止脚部２１が中枠板１０の上面の四隅部分に載置して蓋体２を位置決めして閉じた状態で、平面視で蓋体２の外端が前板５ａ、後板５ｂ、左右の側板５ｃ、５ｄの外面よりも外側に位置し且つ４隅部のコーナカバー部材１８の突出先端を結ぶ線と同じ又はコーナカバー部材１８の突出先端を結ぶ線よりも内側に位置するような大きさに蓋体２が設定してある。
【００２４】
したがって、蓋体２を手前に移動したり、外したりする場合は蓋体２の端部の前板５ａの外面よりも外側に突出した部分に指を掛けて蓋体２の端部を少し上に持ち上げた状態で引くことで、蓋体２を外したり、あるいは、蓋体２の後端を後板５ｂの上端よりも前方にずらしたりすることができる。
【００２５】
引出し用箱体３ａ内には図１、図２に示すような上方に開口する引出し４が前開口１から出し入れ自在に収納される。引出し４は下面にキャスター４ａが取付けてある。引出し４を勢い良く引出し用箱体３ａ内に押し込んだ場合、引出し４の後端部の左右が引出しストッパ７に当たるようなっている。このように、引出し４の後面部の両端部が引出しストッパ７に当たって止まることで、引出し４が後板５ｂに衝突するのが防止される。しかも、引出しストッパ７はねじ８により左右の側板５ｃ、５ｄに固着してあるので、引出し４が引出しストッパ７に衝突しても後板５ｂには左右の側板５ｃ、５ｄから外れるような力が作用しない。したがって、引出し４の衝突で、後板５ｂと左右の側板５ｃ、５ｄとを固着しているねじ具６が緩んだり、後板５ｂが左右の側板５ｃ、５ｄから外れないようになっている。
【００２６】
次に、ハッチ用箱体３ｂにつき説明する。ハッチ用箱体３ｂは図５乃至図８に示すように、前板５ａ、後板５ｂ、左右の側板５ｃ、５ｄと、底板３０とを組み立てることで構成してある。すなわち、図６（ａ）に示すように、前板５ａを後面（内面）が上を向くようにして横にして設置する。この前板５ａの後面の左右両端部にはダボ穴１２が設けてある。次に左右の側板５ｃ、５ｄを後端が上となるようにして起立させて前端面に突設したダボ１３を接着剤を塗布した状態で、前板５ａの両端部に設けたダボ穴１２にそれぞれ嵌め込む。次に、図６（ｂ）に示すように、左右の側板５ｃ、５ｄの内面、前板５ａの側面の前面の下端部に設けた溝３１に接着剤を塗布した状態で底板３０の前、左右の３辺の端縁部を嵌め込み、更に、左右の側板５ｃ、５ｄの後端面に設けたダボ１３に後板５ｂの前面の両端部に設けたダボ穴１２を接着剤を塗布した状態で嵌め込むと共に底板３０の後端縁部を後板５ｂの後面下端部に設けた溝３１に接着剤を塗布した状態で嵌め込んで、前板５ａの後面の左右両端部に左右の側板５ｃ、５ｄの前端面を突き合わせると共に、左右の側板５ｃ、５ｄの後端面に後板５ｂの前面の左右両端部を突き合わせた状態で箱形状に仮組みし、この仮組み状態で、前板５ａの前面の両端部からねじ具６を挿入して左右の側板５ｃ、５ｄの前端部にねじ込んで固着すると共に、後板５ｂの後面の両端部からねじ具６を挿入して左右の側板５ｃ、５ｄの後端部にねじ込んで固着することで、図６（ｃ）に示すように下部に底板３０を取付け且つ上方に開口する上開口１６を有するハッチ用箱体３ｂを組み立てる。
【００２７】
このようにして組み立てた底板３０を有し且つ上開口１６を有するハッチ用箱体３ｂの左右の側板５ｃ、５ｄの内側の側面の後部の上端に図７に示すようにリンク装置２９を取付ける。リンク装置２９は、左右の側板５ｃ、５ｄに固定する側板固定部３３の前端部の上部に第１リンク板３４の下端部が軸３５により回動自在に軸支してあり、側板固定部３３の後端部の下部に第２リンク板３６の下端部が軸３７により回動自在に軸支してあり、また、蓋体２の下面の後端部の両側部に固定するＬ状をした蓋側固定部３８の蓋体２から突出する片の上部に第１リンク板３４の上端部を軸３９により回動自在に軸支してあり、更に、蓋側固定部３８の蓋体２から突出する片の下部に第２リンク板３６の上端部を軸４０により回動自在に軸支してあり、更に、第２リンク板３６の軸３７による枢支位置よりも上方位置に設けたばね取付け部２５と側板固定部３３の軸３５よりも下方位置に設けたばね取付け部２６とにコイルスプリング２７の両端部を取付けて第２リンク板３６を引っ張って回動させようとするばね力を付与している。
【００２８】
そして、図５（ａ）のように蓋体２を開いた状態で、第２リンク板３６にコイルスプリング２７により引張ばね力が作用することで図５（ａ）の蓋体２の開き状態が維持されるようになっている。この図５（ａ）の蓋体２の開き状態で蓋体２の後端面は左右の側板５ｃ、５ｄの上面より少し浮き且つ後板５ｂよりも前方にずれた位置で起立するように構成してある。
【００２９】
上記図５（ａ）の蓋体２の開き状態で蓋体２の前端部を手で持って閉じる方向に回動すると、軸３９を中心に軸４０がコイルスプリング２７のばね力に抗して回動することで、蓋体２を閉じることができ、この場合、第１リンク板３４が図５（ａ）において軸３５を中心に時計方向に回動し且つ第１リンク板３４の上端の軸３９を中心に第２リンク板３６の上端の軸４０が回動するので、第２リンク板３６が図５（ａ）において軸３７を中心に時計方向に回動し、図５（ｂ）のように蓋体２によりハッチ用箱体３ｂの上開口を閉じるようになっている。
【００３０】
上記リンク装置２９は左右の側板５ｃ、５ｄにリンクカバー２８を取付けて覆うようになっている。
【００３１】
ハッチ用箱体３ｂの出隅部には縦溝１７が設けてある。添付図面に示す実施形態においては、前板５ａ、後板５ｂには外面側の端部付近に上下方向にわたって縦溝１７を設け、更に、該前板５ａ、後板５ｂの内面の端部と端面とのなす角部にＬ状段落部を上下方向にわたって設け、このＬ状段落部と隣接する左右の側板５ｃ、５ｄの端面とにより縦溝１７を形成してある。
【００３２】
ハッチ用箱体３ｂの出隅部分を覆うコーナカバー部材１８は前述の引出し用箱体３ａの出隅部分を覆うコーナカバー部材１８と同様のもので、該コーナカバー部材１８を弾性的に９０°の開き角度となるように広げた状態で両係合突部２０をハッチ用箱体３ｂの出隅に設けた上記両縦溝１７に上方から差し込むことでハッチ用箱体３ｂの出隅部分にコーナカバー部材１８を外方に突出するように取付けると共にコーナカバー部材１８により前板５ａ、後板５ｂの側端面及びねじ具６を覆って外観が良くなるようにしている。これにより従来のように化粧側板を別途必要としない。
【００３３】
蓋体２は上面部が畳部分となっており、畳部分は下部の荷重を支持する蓋体本体に固着してある。この蓋体２は前述のように閉じることでハッチ用箱体３ｂの上開口を閉じるように構成してあるのであるが、蓋体２ハッチ用箱体３ｂの上端面に載置されて荷重を支持するようになっている。
【００３４】
そして、ハッチ用箱体３ｂの上開口１６を開閉自在とする蓋体２の大きさは、蓋体２を閉じた状態で、平面視で蓋体２の側端が前板５ａ、後板５ｂ、左右の側板５ｃ、５ｄの外面よりも外側に位置し且つ４隅部のコーナカバー部材１８の突出先端を結ぶ線と同じ又はコーナカバー部材１８の突出先端を結ぶ線よりも内側に位置するような大きさに設定してある。
【００３５】
上記の構成の引出し用箱体３ａは単独で又はハッチ用箱体３ｂと並設してリビングなどのカーペット敷きやフローリングなどの床上に設置するもので、蓋体２の上面部が畳部分となっているため、蓋体２上に座ったり、寝転んだりするものとして使用し、また、箱体３の内部には収納物を収納する。もちろん、ハッチ用箱体３ｂを単独で床上に設置して使用することも可能である。
【００３６】
引出し用箱体３ａは単独で又はハッチ用箱体３ｂと並設して使用する場合は、隣接する箱体３のコーナカバー部材１８同士を当接し、隣接する箱体３の側板５ｃ、５ｄの上端部に跨るように、あるいは隣接する箱体３の後板５ｂと、前板５ａの上端部に跨るように、図１４に示すような断面コ字状の連結部材９を図１０乃至図１２に示すように被嵌して両側板５ｃ、５ｄ同士を連結したり、前板５ａと後板５ｂとを連結すると共に連結部材９の上横片９ａで両側板５ｃ、５ｄ間の隙間１１や、前板５ａ、後板５ｂ間の隙間１１を隠す。この場合、隣接する蓋体２の対向端面同士は当接又は僅かな隙間を介して対向し、この隣接する蓋体２の側端面の対向部分が上記連結部材９の上横片９ａの上に位置するものであり、隣接する蓋体２の側端面の対向部分間からごみが入っても上横片９ａで受けられ、蓋体２を開くことで簡単に上横片９ａにたまったごみを除去できる。
【００３７】
ここで、箱体３を複数床上に並設して上記のように連結部材９で連結して使用する場合、ハッチ用箱体３ｂは何処に配置してもよいが、引出し用箱体３ａは前開口１が壁や別の箱体３で遮蔽されない位置、つまり引出し４が引出せる位置である手前に配置する必要がある。このように手前に配置することで、引出し用箱体３ａから引出し４を引出して引出し４内に収納物を収納し、再び、前開口１から引出し用箱体３ａ内に収納することができる。この場合、既に述べたように引出し４を勢い良く押し込んでも、引出し４の後面部の両端部が引出しストッパ７に当たって止まり、引出し４が後板５ｂに衝突するのが防止される。
【００３８】
また、箱体３を複数並設したものにおいて、ハッチ用箱体３ｂの上開口１６を開として内部に収納物を出し入れするには、次のようにして行う。
【００３９】
すなわち、図１０のように、手前に位置する引出し用箱体３ａの蓋体２の端部の前板５ａの外面よりも外側に突出した部分に指を掛けて蓋体２の端部を少し上に持ち上げた状態で手前に引くことで、蓋体２の後端を後板５ｂの上端よりも前方にずらしたり、あるいは取外したりする。これにより、後側のハッチ用箱体３ｂの蓋体２の前端面が露出するので、後側のハッチ用箱体３ｂの蓋体２の前端面に指を掛けて回動することで後側のハッチ用箱体３ｂの蓋体２を開き、後側のハッチ用箱体３ｂの上開口１から内部に収納物の出し入れをすることができる。
【００４０】
上記のように引出し用箱体３ａの蓋体２を手前に引いて移動したり、取外したりして後側に位置するハッチ用箱体３ｂの蓋体２の前端面を露出してこの露出部分に手を掛けてハッチ用箱体３ｂの蓋体２を開いたりする場合や、あるいは引出し用箱体３ａの蓋体２の上面部の畳部が損傷した際に交換のために該蓋体２を外した場合、引出し用箱体３ａの上開口１６が露出し、この上開口１６部分に中枠板１０が露出するが、中枠板１０は外周部のみを残して中央部に開口部１５を設けてあるので、人が誤って中枠板１０上に乗ったり、座ったりできないようになっており、このため、人が誤って中枠板１０上に乗ったり、座ったりして中枠板１０の外周端縁部が溝１４から外れない。また、中枠板１０の外周部に人が手を当てて下方に押したとしても、押された部分の中枠板１０の内端部側が下方にやや撓むことで手が滑って開口部１５内に落ち込み、中枠板１０の外周端部が溝１４から外れない。
【図面の簡単な説明】
【００４１】
【図１】（ａ）は本発明に用いる引出し用箱体、蓋体、引出しの分解斜視図であり、（ｂ）は蓋体を上下逆にした斜視図である。
【図２】（ａ）は本発明に用いる引出し用箱体に対して引出しを引出した状態の平面図であり、（ｂ）は断面図である。
【図３】（ａ）（ｂ）（ｃ）は同上の引出し用箱体の組み立て順序を示す斜視図である。
【図４】（ａ）は同上のコーナカバー部材の取付けを示す斜視図であり、（ｂ）は要部拡大斜視図である。
【図５】（ａ）は同上のハッチ用箱体の蓋体を開いた状態の断面図であり、（ｂ）は蓋体を閉じた状態の断面図である。
【図６】（ａ）（ｂ）（ｃ）は同上のハッチ用箱体の組み立て順序を示す説明図である。
【図７】同上のリンク装置を示す斜視図である。
【図８】同上のコーナカバー部材の取付けを示す斜視図である。
【図９】同上の引出し用箱体手前に配置すると共にハッチ用箱体を後側に配置することで箱体を複数並設した例を示す斜視図である。
【図１０】同上の後側に配置したハッチ用箱体の蓋体を開くために手前に配置した引出し用箱体の蓋体を前方に移動した状態を示す斜視図である。
【図１１】同上の引出し用箱体とハッチ用箱体とを連結部材で連結する例を示す斜視図である。
【図１２】同上の連結部材で連結した部分を示す断面図である。
【図１３】同上に用いるコーナカバー部材の断面図である。
【図１４】同上に用いる連結部材の断面図である。
【符号の説明】
【００４２】
１  前開口
２  蓋体
３ａ  引出し用箱体
４  引出し
４ａ  キャスター
５ａ  前板
５ｂ  後板
５ｃ  側板
５ｄ  側板
１０  中枠板
１４  溝
１５  開口部
【図１】
0004544115.tif 000002
【図２】
0004544115.tif 000003
【図３】
0004544115.tif 000004
【図４】
0004544115.tif 000005
【図５】
0004544115.tif 000006
【図６】
0004544115.tif 000007
【図７】
0004544115.tif 000008
【図８】
0004544115.tif 000009
【図９】
0004544115.tif 000010
【図１０】
0004544115.tif 000011
【図１１】
0004544115.tif 000012
【図１２】
0004544115.tif 000013
【図１３】
0004544115.tif 000014
【図１４】
0004544115.tif 000015